(57)【要約】      （修正有）【課題】各対物レンズの傾き調整を不要にできるとともに、両対物レンズ相互間の距離を短くすることができる２レンズ式光ピックアップ用対物レンズを、提供する。【解決手段】対物レンズユニットは、対物レンズ用アクチュエータによって保持されて、フォーカシング及びトラッキングされる。この対物レンズユニットには、平面長円形の板状のフランジ部１ｃにおける両端縁の曲率中心と同軸に、青色レーザ光を収束するレンズ面形状を有する青色用対物レンズ部１ａと、赤外レーザ光及び赤色レーザ光を収束するレンズ面形状を有する赤色／赤外用対物レンズ部１ｂとが、一体に形成されている。そして、両レンズ部１ａ，１ｂ同士の間には、スリット状の開口部１ｄが穿たれている。【選択図】図２
2009116948.tif 000002
【特許請求の範囲】
【請求項１】
レーザ光源から発したレーザ光を光ディスクに照射するために、プラスチックの射出成形により製造された光ピックアップ用対物レンズであって、
略板状部材の一部に、
青色帯域のレーザ光を第１の光ディスクの記録層に収束するためのレンズ面形状を表裏面に夫々有する第１の対物レンズ部と、赤色乃至赤外帯域のレーザ光を第２の光ディスクの記録層に収束するためのレンズ面形状を表裏面に夫々有する第２の対物レンズ部とが、一体に形成されてなる
ことを特徴とする光ピックアップ用対物レンズ。
【請求項２】
前記第１の対物レンズ部と前記第２の対物レンズ部との間に、スリット状の開口部が穿たれている
ことを特徴とする請求項１記載の光ピックアップ用対物レンズ。
【請求項３】
前記スリット状の開口部は、前記第１の対物レンズ部と前記第２の対物レンズ部との並び方向に直交する方向に長手方向を向けて形成されている
ことを特徴とする請求項２記載の光ピックアップ用対物レンズ。
【請求項４】
平面形状が前記スリット状の開口部に関して線対称に形成されている
ことを特徴とする請求項３記載の光ピックアップ用対物レンズ。
【請求項５】
射出成型時のゲートの痕が、前記スリット状の開口部に関して線対称となる二位置に形成されている
ことを特徴とする請求項４記載の光ピックアップ用対物レンズ。
【請求項６】
前記第１の光ディスクはブルーレイディスクであり、前記青色帯域のレーザ光の波長は４０５乃至４０８ｎｍであり、前記第１の対物レンズ部の開口数は当該レーザ光に対して０．８５を満たす
ことを特徴とする請求項１記載の光ピックアップ
【請求項７】
前記第２の光ディスクはＣＤであり、前記赤色乃至赤外帯域のレーザ光の波長は７８０乃至７９０ｎｍであり、前記第２の対物レンズ部の開口数は当該レーザ光に対して０．４５乃至０．５３を満たす
ことを特徴とする請求項１記載の光ピックアップ
【請求項８】
前記第２の光ディスクはＤＶＤであり、前記赤色乃至赤外帯域のレーザ光の波長は６５０乃至６６５ｎｍであり、前記第２の対物レンズ部の開口数は当該レーザ光に対して０．６０乃至０．６５を満たす
ことを特徴とする請求項１記載の光ピックアップ
【発明の詳細な説明】
【技術分野】
【０００１】
本発明は、二種類以上の光ディスクの記録層に情報記録又は情報読出しのためにレーザ光を照射する光ピックアップに用いられる対物レンズに関する。
【背景技術】
【０００２】
ＣＤ（Compact Disc）やＤＶＤ（Digital Versatile Disc）のような光ディスクに記録されている光情報を読み出したり、光ディスクに対して光情報を書き込むための各種光ディスクドライブ装置に用いられる光ピックアップは、一般に、レーザ光源から射出されたレーザ光を、光記録媒体の記録層に収束する構成となっている。
【０００３】
ところで、次世代ＤＶＤであるブルーレイディスクやＨＤ−ＤＶＤ用には、従来のＤＶＤやＣＤ用のレーザ光の半分程度の波長の光が用いられるので、対物レンズの焦点深度が狭くなり、そのため、レーザ光源のパワー変化や温度変化に伴う発振波長の変化に因るフォーカスエラーを防止すべく、色収差を高度に補正する必要がある。更に、ブルーレイディスクにおいては、高密度記録を実現するため、対物レンズの開口数を大きくしている（NA=0.85）ので、保護層厚のバラツキによる球面収差の発生が顕著になる。
【０００４】
そのため、一つの対物レンズにより、これらブルーレイディスク又はＨＤ−ＤＶＤとＣＤ又は／及びＤＶＤとに対応するためには、前者の光ディスクと後者の光ディスクに要求される仕様が大きく異なるので、設計上犠牲にせざるを得ない要素が多く、高度な設計及び製造技術を要するために却ってコスト高になるという問題があった（１レンズ方式）。
【０００５】
そこで、ブルーレイディスク又はＨＤ−ＤＶＤ用の対物レンズとＤＶＤ又は／及びＣＤ用の対物レンズとを別個に用意し、一体にフォーカシング及びトラッキングできるように対物レンズ用アクチュエータを工夫した方式（２レンズ方式）が、開発されている（特許文献１乃至３参照）。
【０００６】
図５は、このような２レンズ方式を採用した光ピックアップの一例を示す光学構成図であり、レーザ光源から光ディスクに至るレーザ光の光路を直線化して示すものである。この図５に示された方式では、対物レンズ用アクチュエータ以外の各光学要素を、２系統分備えたことを特徴としている。
【０００７】
即ち、ブルーレイディスク又はＨＤ−ＤＶＤ用のレーザ光とＣＤ又はＤＶＤ用のレーザ光は、夫々、青色ＬＤ（Laser Diode）１０１，赤色／赤外ＬＤ１０２から互いに平行に射出され、ビームスプリッタ１０３，１０４，コリメートレンズ１０５，１０６を通り、第１対物レンズ１０８，第２対物レンズ１０９に入射する。第１対物レンズ１０８は、入射したブルーレイディスク又はＨＤ−ＤＶＤ用のレーザ光を、読出又は書込対象のブルーレイディスク又はＨＤ−ＤＶＤの記録層に収束できるように、設計されている。また、第２対物レンズ１０９は、入射したＣＤ又はＤＶＤ用のレーザ光を、読出又は書込対象のＣＤ又はＤＶＤの記録層に収束できるように、設計されている。
【０００８】
上述した両対物レンズ１０８、１０９は、一体に成形された単一のレンズホルダー１１０における互いに平行に穿たれた一対のレンズ収容孔に嵌め込まれることによって、固定されている。そして、このレンズホルダー１１０全体が、対物レンズ用アクチュエータ１１１により、各レーザ光の光路（各コリメートレンズ１０５，１０６の光軸方向）に沿って移動可能（フォーカシング）且つ光ディスクの径方向に移動可能（トラッキング）に保持されている。
【０００９】
以上のような構成により、光ピックアップの図示せぬ制御ユニットは、光ディスクドライブ装置にブルーレイディスク又はＨＤ−ＤＶＤが装填された場合には、青色ＬＤ１０１のみからレーザ光を射出させ、図６の左半分に示すように、対物レンズ１０８によってブルーレイディスク又はＨＤ−ＤＶＤの記録層にレーザ光を収束させ（但し、図６は、ブルーレイディスクの場合のみを例示している）、反射光を受光素子１１４にて受光する。他方、光ディスクドライブ装置にＣＤが装填された場合には、赤色／赤外ＬＤ１０２のみからレーザ光（７８０〜７９０ｎｍ）を射出させ、図６の右半分に示すように、対物レンズ１０９によってＣＤの記録層にレーザ光を収束させ、反射光を受光素子１１５にて受光する。また、光ディスクドライブ装置にＤＶＤが装填された場合には、赤色／赤外ＬＤ１０２のみからレーザ光（６６５ｎｍ）を射出させ、図７に示すように、対物レンズ１０９によってＣＤの記録層にレーザ光を収束させ、反射光を受光素子１１５にて受光する。
【特許文献１】特開２００５−３２７３３８号
【特許文献２】特開平１１−１３４６９７号
【特許文献３】特開２００６−２４３５１号
【発明の開示】
【発明が解決しようとする課題】
【００１０】
しかしながら、上述したように一つのレンズホルダ１１０に対して各対物レンズ１０８，１０９を夫々嵌め込む構造を採用した場合には、たとえレンズホルダ１１０の両レンズ保持孔が相互に平行に形成されていたとしても、各レンズ１０８，１０９を嵌め込むためのクリアランスが確保されている必要があるので、各レンズ１０８，１０９を嵌め込む際には、このクリアランス内において各レンズ１０８，１０９の光軸の傾きを調整する必要があり、この調整が不完全であると、各対物レンズ１０８，１０９が所望の性能を発揮できないという問題があった。
【００１１】
また、レンズ保持孔内にレンズを嵌め込んで固定するためには、上述のクリアランス（調整分）の他、レンズ保持孔内との間でレンズを固定するための固定しろ（接着領域，フランジとの係合幅）が、必要となる。従って、両レンズの間隔をあまり接近させることができないという問題があった。このように相互の間隔が開いていると、これら両レンズを同一の対物レンズ用アクチュエータによってトラッキングしようとすると、各レンズの移動方向と光ディスクの径方向との傾きが大きくなるという問題を生じる。
【００１２】
そこで、本発明は、２レンズ方式の光ピックアップにおいて、各対物レンズの傾き調整を不要とするとともに、両対物レンズ相互間の距離を短くすることができる光ピックアップ用対物レンズの提供を、課題とする。
【課題を解決するための手段】
【００１３】
本発明は、上記課題を解決するために、以下の手段を採用した。即ち、本発明による光ピックアップ用対物レンズは、レーザ光源から発したレーザ光を光ディスクに照射するために、プラスチックの射出成形により製造された光ピックアップ用対物レンズであって、略板状部材の一部に、青色帯域のレーザ光を第１の光ディスクの記録層に収束するためのレンズ面形状を表裏面に夫々有する第１の対物レンズ部と、赤色乃至赤外帯域のレーザ光を第２の光ディスクの記録層に収束するためのレンズ面形状を表裏面に夫々有する第２の対物レンズ部とが、一体に形成されてなることを、特徴とする。
【００１４】
このように構成された本発明の光ピックアップ用対物レンズによると、従来の２レンズ方式の光ピックアップにおける各対物レンズと同機能を果たす第１の対物レンズ部及び第２の対物レンズ部は、射出成形により、板状部材の一部に一体成形される。従って、射出成形後の光ピックアップ用対物レンズにおいて、各レンズ部の光軸は固定されているので、その傾きを調整する必要はない。また、このように一体成形されているために従来必要であったクリアランスや対物レンズの固定しろは不要となるので、その分だけ、各レンズ部を近接して成形することができる。
【００１５】
本発明において、各レンズ部同士の間に、スリット状の開口部が穿たれていても良い。このような形状を射出成形するレンズ型においては、一方のレンズ部に相当する空隙から他方のレンズ部に相当する空隙への樹脂材料の移動が、当該開口部を形成するための壁によって遮られる。従って、両レンズ部に相当する空隙の間で樹脂材料が接触することがないので、射出成形後のピックアップ用対物レンズにおける両対物レンズ部の間に、界面が生じることがない。従って、この界面が何れかのレンズ部に及ぶことに因る光学性能の劣化やレンズ面の割れといった問題の発生を、抑制することができる。
【発明の効果】
【００１６】
以上のように構成された本発明の光ピックアップ用対物レンズによると、２レンズ方式の光ピックアップにおいて、各対物レンズの傾き調整を不要とするとともに、両対物レンズ相互間の距離を短くすることができる。
【発明を実施するための最良の形態】
【００１７】
以下、図面に基づいて本発明による光ピックアップ用対物レンズの実施の形態である対物レンズユニット１を採用した光ピックアップの説明を行う。なお、この例は、ＣＤ，ＤＶＤ及びブルーレイディスクに共用される光ピックアップを示すものである。
【００１８】
図１は、かかる光ピックアップを構成する各光学部品の光学構成（但し、反射鏡等の反射部材やプリズム等の屈折部材の図示を省略して、光路を直線化して示している）を示している。この光ピックアップを構成する光学部品とは、上述した光ピックアップ用対物レンズユニット１の他、青色ＬＤ２，赤色／赤外ＬＤ３，第１ビームスプリッタ４，第２ビームスプリッタ５，第１コリメートレンズ６，第２コリメートレンズ７，第１センサーレンズ１０，第２センサーレンズ１１，第１受光素子１２，及び第２受光素子１３である。更に、図１には、第１コリメータレンズ８を保持して光軸方向に移動調整するコリメートレンズ用アクチュエータ８，対物レンズユニット１を保持してフォーカシング方向及びトラッキング方向に夫々移動調整する対物レンズ用アクチュエータ９，当該光ピックアップが組み込まれた光ディスクドライブ装置における図示せぬクランプに保持された各光ディスク（ブルーレイディスク２１，ＣＤ２２，ＤＶＤ３２３）の一部が、図示されている。
【００１９】
青色ＬＤ２及び赤色／赤外ＬＤ３は、互いに平行な光路に沿って夫々レーザ光を射出するように、並べて設置されている。そして、青色ＬＤ２は、図示せぬ制御ユニットから駆動電流を供給されると、青色の波長帯域（４０５〜４０８ｎｍ）のレーザ光を射出する。また、赤色／赤外ＬＤ３は、図示せぬ制御ユニットからＣＤ用の駆動電流を供給されると、赤外の波長帯域（７８０〜７９０ｎｍ）のレーザ光を射出し、ＤＶＤ用の駆動電流を供給されると、赤色の波長帯域（６５０〜６６５ｎｍ）のレーザ光を射出する。
【００２０】
各ビームスプリッタ４，５は、夫々、ＬＤ２，３から発散光として射出されたレーザ光の光路中に配置され、当該光路に対して４５度傾いた分離面４ａ，５ａを有するプリズム（偏光ビームスプリッタ）である。即ち、各ビームスプリッタ４，５の分離面４ａ，５ａは、各レーザ光源２，３から射出されたレーザ光の大部分を各コリメートレンズ６，７に向けて透過するとともに、光ディスク２１〜２２の記録層に入射したレーザ光が当該記録層に記録された情報によって変調された状態で反射されると、その反射光の大部分を各センサーレンズ１０，１１に向けて反射する。なお、各ビームスプリッタ４，５の分離面４ａ，５ａが夫々反射光を反射する向きは、相互に逆向きとなっている。
【００２１】
第１コリメートレンズ６は、コリメートレンズ用アクチュエータ８により、その光軸が青色ＬＤ２の発光点を向く方向に向けられて保持された正レンズであり、基準位置にある場合に、青色ＬＤ２から発して第１ビームスプリッタ４を透過したレーザ光を発散光から平行光へ変換するように、屈折させる。コリメータレンズ用アクチュエータ８は、図示せぬ制御ユニットからの制御信号に応じて第１コリメートレンズ６をその光軸方向に移動させる公知の機構であり、図示せぬ制御ユニットは、ブルーレイディスク２１の保護層のバラツキや記録層の切り換え（片面多数層の場合）に伴ってブルーレイディスク２１の記録層に生じる球面収差を補正するように、コリメートレンズ用アクチュエータ８を制御し、コリメートレンズ６から射出されるレーザ光の発散又は収束の度合を調整する。
【００２２】
また、第２コリメートレンズ７は、図示せぬレンズ枠によって、その光軸が赤色／赤外ＬＤ３の発光点を向く方向に向けられて固定された正レンズであり、赤色／赤外ＬＤ３から発して第２ビームスプリッタ５を透過したレーザ光を発散光から平行光へ変換するように、屈折させる。
【００２３】
対物レンズユニット１は、第１コリメートレンズ６を通じて入射された青色帯域のレーザ光を図示せぬクランプに保持されたブルーレイディスク２１（第１の光ディスクに相当）の記録層に収差なく収束できるように設計されたレンズ面形状を表裏面に夫々備える円形部分（第１の対物レンズ部に相当，以下、「青色用対物レンズ部１ａ」という），及び、第２コリメートレンズ７を通じて入射された赤外帯域のレーザ光を図示せぬクランプに保持されたＣＤ２２（第２の光ディスクに相当）の記録層に収差なく収束できるとともに第２コリメートレンズ７を通じて入射された赤色帯域のレーザ光を図示せぬクランプに保持されたＤＶＤ２３（第２の光ディスクに相当）の記録層に収差なく収束できるように設計されたレンズ面形状を表裏面に夫々備える円形部分（第２の対物レンズ部に相当，以下、「赤色／赤外用対物レンズ部１ｂ」という）を、有している。
【００２４】
図２は、この対物ユニット１を各コリメートレンズ６，７側から見た状態を示す正面図であり、図３は、図２におけるIII−III線に沿った縦断面図であり（図１に示す断面とは上下逆となっている）、図４は、対物ユニット１を光ディスク２１〜２３側から見た状態を示す斜視図である。
【００２５】
これら各図に示されるように、対物レンズユニット１の外縁の平面形状は長円状となっており、この長円の両端におけるＲ形状の曲率中心と同軸となるように、夫々、上述した青色用対物レンズ部１ａ及び赤色／赤外用対物レンズ部１ｂが、形成されている。なお、対物レンズユニット１における青色用対物レンズ部１ａ及び赤色／赤外用対物レンズ部１ｂ以外の板状部分（板状部材に相当）を、以下、「フランジ部１ｃ」という。
【００２６】
このフランジ部１ｃの表裏各面の形状はほぼ平面状であるが、各対物レンズ部１ａ，１ｂとの境は、所定の位置に配置される各光ディスク２１〜２２の記録層に対して、各レーザ光の有効光束の範囲内において必要な性能を発揮するためのレンズ形状が各対物レンズ部１ａ，１ｂに確保できるように、環状に凹んでいる。即ち、赤色／赤外用対物レンズ部１ｂにおけるＤＶＤ２３用の有効光束径は、ＣＤ２２用の有効光束径よりも大きい。即ち、ＣＤ２２の記録層に赤外帯域のレーザ光を収束するには開口数（ＮＡ）が０．４５〜０．５３であることが求められるのに対して、ＤＶＤ２３の記録層に赤色帯域のレーザ光を収束するには開口数（ＮＡ）が０．６５前後であることが求められるからである。他方、ブルーレイディスク２１の記録層に青色帯域のレーザ光を収束するには開口数（ＮＡ）が０．８５であることが求められる。そして、ＤＶＤ２３及びＣＤ２２の記録層の位置及び保護層の厚さと、ブルーレイディスク２１の記録層の位置及び保護層の厚さとの相関により、ＬＤ２，３側においては、赤色／赤外用対物レンズ部１ｂにおけるＤＶＤ２３用の有効光束径外縁の位置は、青色用対物レンズ部１ａにおけるブルーレイディスク２１用の有効光束径外縁の位置よりも、光ディスク２１〜２２側に接近している。従って、ＬＤ２，３側においては、フランジ部１ｃと赤色／赤外用対物レンズ部１ｂとの境は、青色用対物レンズ部１ａとの境よりも深く堀込まれている。同様に、光ディスク２１〜２２側においても、フランジ部１ｃと赤色／赤外用対物レンズ部１ｂとの境は、青色用対物レンズ部１ａとの境よりも深く堀込まれている。
【００２７】
また、図２に示されているように、対物レンズユニット１における平面中央には、各対物レンズ部１ａ，１ｂに掛かる部分を除いてほぼ矩形であるスリット状の開口部１ｄが、穿たれている。この開口部１ｄの長手方向（両対物レンズ部１ａ，１ｂの並び方向に直交する方向）における寸法は、両対物レンズ部１ａ，１ｂの径と一致している。この開口部１ｄの存在理由は以下の通りである。
【００２８】
即ち、この対物レンズユニット１はプラスチックの射出成形によって製造される。そして、射出成形時における樹脂の条件が両対物レンズ部１ａ，１ｂにおいて均等となるように（例えば、樹脂の密度が均等となるように）、当該対物レンズユニット１を射出成形するために用いられる図示せぬレンズ型には、各対物レンズ部１ａ，１ｂに近接した内壁面に、射出用のゲートが設けられている。図２に示す１ｅ，１ｅは、かかるゲートの痕である。このように、二箇所のゲートから夫々樹脂材料を射出した場合、射出された樹脂はその瞬間より冷めていくので、両ゲートから夫々射出された樹脂材料が接触しても、必ずしも完全に融合せずに、界面を形成することがありうる。かかる界面が対物レンズ部１ａ，１ｂに生じてしまうと、透過する光に対して意図せぬ屈折を生じる等の悪影響を光学性能に及ぼしてしまう問題がある。また、界面においては樹脂が割れやすくなるので、割れに因る悪影響も生じ得る。そのため、各対物レンズ部１ａ，１ｂでの界面の発生を防止するために、当該対物レンズユニット１を成型するためのレンズ型における両対物レンズ部１ａ，１ｂに相当する空隙同士が近接する箇所においては、一方の対物レンズ部１ａ，１ｂに相当する空隙から他方の対物レンズ部１ｂ，１ａに相当する空隙へ樹脂が流れ込むことを防ぐべく、開口部１ｄを形成する壁が設けられているのである。その結果、両ゲートから夫々射出された樹脂材料は、開口部１ｂを形成する壁の両脇（両対物レンズ部１ａ，１ｂの並び方向に直交する長手方向における両脇）近傍の箇所において、夫々、接触して融合することになる。この場合、仮に樹脂材料同士の間に界面が生じたとしても、当該箇所は、開口部１ｂを形成する壁の存在によって、各対物レンズ部１ａ，１ｂから離れた位置となるように規制されているので、界面が各対物レンズ部１ａ，１ｂに及ぶことが抑止されているのである。
【００２９】
なお、図３に示すように、赤色／赤外用対物レンズ部１ｂにおいて、ＣＤ２２の記録層にレーザ光を収束するために要求される開口数ＮＡが０．４５〜０．５３であることから、ＤＶＤ２３用の赤色帯域のレーザ光の有効光束径と比較して、ＣＤ２２用の赤外帯域のレーザ光の有効光束径を小さく制限する必要がある。かかる光束径の制限手段としては、例えば、ＣＤ用の有効光束の外側に、赤外帯域の光を分散する回折構造を形成すれば良い。
【００３０】
対物レンズ用アクチュエータ９は、上述したように構成されている対物レンズユニット１を、各対物レンズ部１ａ，１ｂの光軸が夫々図示せぬクランプに保持されている光ディスク２１〜２３の記録層上における同一トラックを貫くように保持するとともに、図示せぬ制御ユニットからの制御に応じて、光軸方向へ移動調整（フォーカシング）し、また、上記光ディスク２１の径方向へ移動調整（トラッキング）する。
【００３１】
一方、各センサーレンズ１０，１１には、対物レンズ７によって光ディスクＤに入射されたレーザ光が、当該光ディスクＤの記録層Ｒに記録された情報に応じて変調されつつ反射されてなる反射光が、対物レンズユニットの各対物レンズ部１ａ，１ｂ，各コリメートレンズ６，７及び各ビームスプリッタ４，５の分離面４ａ，５ａを経て、入射される。各センサーレンズ１０，１１は、この反射光を更に収束して、各受光素子１２，１３の受光面に収束する。
【００３２】
これら受光素子１２，１３の受光面は、公知のように、センサーレンズ１２，１３の光軸を中心として４分割されており、分割された４つの領域にて夫々入射した反射光の光量を検知する。なお、このように各領域で夫々検知された入射光量の値は、図示せぬ制御ユニットにより演算されて、それにより、光ディスク２１〜２３の記録層に記録されている情報を示す再生信号，対物レンズユニット１の各対物レンズ部１ａ，１ｂによって収束されたレーザ光の収束点と光ディスク２１〜２３の記録層とのズレを示すフォーカス信号，上記収束点と上記記録層上のトラックとのズレを示すトラッキングエラー信号が、夫々得られる。
【００３３】
図示せぬ制御ユニットは、光ディスクドライブ装置の図示せぬクランプにＣＤ２２が装着されていると判断した場合には、赤色／赤外ＬＤ３から赤外帯域（７８０〜７９０ｎｍ）レーザ光を射出させる。このレーザ光は、第２ビームスプリッタ５，第２コリメートレンズ７，対物レンズユニット１の赤色／赤外用対物レンズ部１ｂを通じて、ＮＡが０．４５〜０．５３となるように絞られた状態で、ＣＤ２２の記録層に収束される。この記録層で反射されたレーザ光は、当該記録層に記録された情報に応じて変調された状態で、対物レンズユニット１の赤色／赤外用対物レンズ部１ｂ，第２コリメートレンズ７を経て、第２ビームスプリッタ５の分離面５ａにて反射され、第２センサーレンズ１１を通じて第２受光素子１３に入射する。この第２受光素子１３からの出力信号に基づき、図示せぬ制御ユニットは、上述した各信号を算出して、再生信号を出力するとともに、対物レンズ用アクチュエータ９を制御する。
【００３４】
また、図示せぬ制御ユニットは、ＤＶＤ２３が装着されていると判断した場合には、赤色／赤外ＬＤ３から赤色帯域（６６５ｎｍ）レーザ光を射出させる。このレーザ光は、第２ビームスプリッタ５，第２コリメートレンズ７，対物レンズユニット１の赤色／赤外用対物レンズ部１ｂを通じて、ＮＡが０．６５となる光束径を維持したまま、ＤＶＤ２３の記録層に収束される。この記録層で反射されたレーザ光は、上述したＣＤ２２の場合と同様にして、第２受光素子１３に入射する。図示せぬ制御ユニットは、この第２受光素子１３からの出力信号に基づき、上述した各信号を算出して、対物レンズ用アクチュエータ９を制御するとともに、読取時においては再生信号を出力し、記録時においては、赤色／赤外ＬＤ３からのレーザ光の射出を変調する。
【００３５】
また、図示せぬ制御ユニットは、ブルーレイディスク２１が装着されていると判断した場合には、青色ＬＤ２から青色帯域（４０５〜４０８ｎｍ）レーザ光を射出させる。このレーザ光は、第１ビームスプリッタ４，第１コリメートレンズ６，対物レンズユニット１の青色用対物レンズ部１ａを通じて、ＮＡが０．８５となる光束径を維持したまま、ブルーレイディスク２１の記録層に収束される。この記録層で反射されたレーザ光は、当該記録層に記録された情報に応じて変調された状態で、対物レンズユニット１の青色用対物レンズ部１ａ，第１コリメートレンズ６を経て、第１ビームスプリッタ４の分離面４ａにて反射され、第１センサーレンズ１０を通じて第１受光素子１２に入射する。図示せぬ制御ユニットは、この第１受光素子１２からの出力信号に基づき、上述した各信号を算出して、コリメートレンズ用アクチュエータ８及び対物レンズ用アクチュエータ９を制御するとともに、読取時においては再生信号を出力し、記録時においては、青色ＬＤ２からのレーザ光の射出を変調する。
【００３６】
以上に説明した本実施形態によれば、従来の２レンズ式光ピックアップにおけるブルーレイディスク用の対物レンズの機能を果たす青色用対物レンズ部１ａと、ＤＶＤ及びＣＤ用の対物レンズの機能を果たす赤色／赤外用対物レンズ部１ｂとは、射出成形により、従来の光ピックアップにおけるレンズホルダに相当するフランジ部１ｃとともに、射出成形により一体の対物レンズユニット１として成形される。従って、この射出成形に用いられるレンズ型が設計通りに構成されている限り、青色用対物レンズ部１ａの光軸と赤色／赤外用対物レンズ部１ｂの光軸とは、互いに平行且つフランジ部１ｃに対して傾いていないことが保証されている。従って、従来必要であった各対物レンズのレンズホルダに対する傾きを夫々調整する作業が一切不要となり、組立作業者は、ただ、各レンズ部１ａ，１ｂの光軸がフォーカシング方向を向くように調整した上で対物レンズユニット１を対物レンズ用アクチュエータ９に保持させるだけで良い。
【００３７】
また、上述したように各レンズ部１ａ，１ｂがフランジ部１ｃと一体成型されるために、従来必要であったクリアランスや各対物レンズを固定する為の固定しろは不要になる。よって、その分だけ、両レンズ部１ａ，１ｂを近接させることができるので、対物レンズアクチュエータ９を小型化できる。また、トラッキングによる各レンズ部１ａ，１ｂの移動方向と各光ディスク２１〜２３の径方向とのズレを小さく抑えることができる。
【００３８】
なお、以上説明した実施形態では、対物レンズユニット１の青色用対物レンズ部１ａは、ブルーレイディスク２１に適合した仕様に設計されていたが、この光ビックアップが搭載される光ディスクドライブ装置が、ブルーレイディスクではなくＨＤ−ＤＶＤに対応したものである場合には、この青色用対物レンズ部１ａは、ＨＤ−ＤＶＤに適合した仕様に設計されていれば良い。即ち、開口数ＮＡは、４０５〜４０８ｎｍのレーザ光に対して、０．６５前後を満たすように設計されれば良い。
【図面の簡単な説明】
【００３９】
【図１】本発明の実施の形態である光ピックアップを構成する光学部品の光学構成図
【図２】対物レンズユニットをコリメートレンズ側から見た正面図
【図３】図２のIII−III線に沿った縦断面図
【図４】対物レンズユニットを光ディスク側から見た斜視図
【図５】従来例を示す光学構成図
【図６】従来の対物レンズの保持構造を示す図
【図７】従来の対物レンズの保持構造を示す図
【符号の説明】
【００４０】
１      対物レンズユニット
１ａ    青色用対物レンズ部
１ｂ    赤色／赤外用対物レンズ部
１ｃ    フランジ部
１ｄ    開口部
２      青色ＬＤ
３      赤色／赤外ＬＤ
９      対物レンズ用アクチュエータ
２１      ブルーレイディスク
２２      ＣＤ
２３      ＤＶＤ
【図１】
2009116948.tif 000003
【図２】
2009116948.tif 000004
【図３】
2009116948.tif 000005
【図４】
2009116948.tif 000006
【図５】
2009116948.tif 000007
【図６】
2009116948.tif 000008
【図７】
2009116948.tif 000009